【手続補正書】
【提出日】平成27年8月28日(2015.8.28)
【手続補正１】
【補正対象書類名】特許請求の範囲
【補正対象項目名】全文
【補正方法】変更
【補正の内容】
【特許請求の範囲】
【請求項１】
軸方向に差し込み可能な雄継手部品及び雌継手部品の２つからなり、且つ外科用ハンドピース内に収容された、ツールシャフト内に支持されたトーションロッド又はツールをトルク伝達トレーン又は駆動部に連結するための継手であって、
前記２つの継手部品の断面形状は、それぞれが好ましくはピッチ円断面を有する４つ葉のクローバ葉形にほぼ一致し、
前記継手部品の前記断面形状が、より小さな半径を有し、且つ前記継手の前記断面形状の４つのコーナを画定する４つの等しい円線からなり、
それぞれの２つの隣り合う円線は、より大きな半径を有する更なる円線によって互いに連結されており、
前記コーナ円線の中心以外の前記更なる円線の中心が、いずれの場合においても前記断面形状の外側に配置されていることを特徴とする継手。
【請求項２】
２つの隣り合うコーナ円線を連結する側部円線は、いずれの場合においても、前記コーナ円線の領域内の凸状輪郭に一体化する凹状の断面輪郭を形成し、これにより前記クローバ葉形に近似することを特徴とする、請求項１に記載の継手。
【請求項３】
更なる円の中心は、より小さな半径を有する２つの隣り合う交差する円の間の中心軸に設定され、
より大きな半径を有する円は、前記更なる円の中心の周りに描かれることを特徴とする、請求項１又は２に記載の継手。
【請求項４】
凹状側部円線のそれぞれが、全体的な継手の輪郭が連続的な外周線を形成するように、前記２つの隣り合うコーナ円線に接することを特徴とする、請求項３に記載の継手。
【請求項５】
前記断面輪郭が少なくとも以下の条件を満たし、
（１）０．６＜ｋＢ＜０．９の場合に、Ｂ＝ｋＢ×Ａ
式中、値Ａは、その中心を前記断面形状の中心に有し、且つ全コーナ円上に半径方向外側の接点を有する外接円の半径であり、値Ｂは、２つの対向する凹状側部円線間の距離の半分である
ことを特徴とする、請求項２〜４のいずれか一項に記載の継手。
【請求項６】
前記断面輪郭が更なる条件
（２）０．６＜ｋＲｅ＜０．９且つＲｅ＝各コーナ円線の同じ半径である場合に、Ｒｅ＝ｋＲｅ×Ａ
及び
（３）０．８＜ｋＲｉ＜１．５且つＲｉ＝各側部円線の同じ半径である場合に、Ｒｉ＝ｋＲｉ×Ａ
を満たすことを特徴とする、請求項５に記載の継手。
【請求項７】
内部トーションロッド又は内部ツールシャフトを含むハンドピースシャフトを連結することができるユニバーサルハンドピースを好ましくは備える外科用トルク伝達器具であって、
前記ハンドピースシャフトは、軸方向に相互嵌合可能な雄継手部品及び雌継手部品からなるプラグ型継手を介して前記ハンドピース内のトルク伝達トレーン又は駆動部に連結することができ、
前記２つの継手部品は、請求項１〜６のいずれか一項に記載の断面形状を有する
ことを特徴とする外科用トルク伝達器具。
【手続補正２】
【補正対象書類名】明細書
【補正対象項目名】００３４
【補正方法】変更
【補正の内容】
【００３４】
図４ａ及び図４ｂによれば、シャフトの周縁の対称位置に配置された２つの切欠き又はポケット１２は小径シャフト端部６ｂの基端部に形成され（好ましくは削り込まれる）、これにより、軸方向に機能するアンダカット部がシャフト表面に形成される。これら切欠き１２の代替として、及び図８によれば、旋盤の使用により、小径シャフト端部６ｂの基端部に周囲溝１２ａを作製することもまた可能であり、その溝深さは図４ａ、４ｂによる切欠き深さに実質的に一致する。以下に記載されるように、これら切欠き１２又は周方向溝１２ａはツール取付具内のツールシャフト４を軸方向に係止するように機能する。
【手続補正３】
【補正対象書類名】明細書
【補正対象項目名】００７０
【補正方法】変更
【補正の内容】
【００７０】
図７ａは、同伴シャフト２２のトルク伝達領域２４ａ内にラジアル軸受（ＫＬ）５０を含む、本発明による、ツール取付具２０内におけるツール１の取り付け状況を示す。この図から理解されうるように、ツールシャフト４に曲げ力として作用するツール接触力及び切削力を吸収するために、ハンドピースシャフト７０を出て先端側に延在するツールシャフト４は、少なくとも１つの先端側軸受（好ましくは２つの先端側軸受）７２と、少なくとも１つの基端側軸受５０、７４とによって支持される。したがって、少なくとも１つの基端側ラジアル軸受５０が同伴シャフト２２のトルク伝達領域２４ａ内に配置される場合、先端側軸受７２と基端側軸受５０との間に、先端側軸受７２とツール係合セグメント２との間の片持長さよりも大幅に長い支持長さがある。
【手続補正４】
【補正対象書類名】明細書
【補正対象項目名】００８７
【補正方法】変更
【補正の内容】
【００８７】
図１４によれば、値Ａは、断面図の中心に円の中心及び全コーナ円上に径方向外側の接点を有する外周円の半径を示す。値Ｂは、２つの対向する側部円間の明確な測定値の半分、すなわち、断面上の最内点を示す、２つの対向する側部円上の点の対角距離の半分を示す。
【手続補正５】
【補正対象書類名】明細書
【補正対象項目名】００８９
【補正方法】変更
【補正の内容】
【００８９】
図１５は、雄継手部品と雌継手部品が対応する断面形状を有し、雌継手部品に特定のオーバサイズがあることを示す。
以下の項目は、国際出願時の特許請求の範囲に記載の要素である。
（項目１）
軸方向に差し込み可能な雄継手部品及び雌継手部品の２つからなり、且つ外科用ハンドピース内に収容された、ツールシャフト内に支持されたトーションロッド又はツールをトルク伝達トレーン又は駆動部に連結するための継手であって、
前記２つの継手部品の断面形状は、それぞれが好ましくはピッチ円断面を有する４つ葉のクローバ葉形にほぼ一致することを特徴とする継手。
（項目２）
本発明による前記継手部品の前記断面形状が、より小さな半径を有し、且つ前記継手の前記断面形状の４つのコーナを画定する４つの等しい円線からなり、
それぞれの２つの隣り合う円線は、より大きな半径を有する更なる円線によって互いに連結されており、
前記コーナ円線の中心以外の前記更なる円線の中心が、いずれの場合においても前記断面形状の外側に配置されていることを特徴とする、項目１に記載の継手。
（項目３）
２つの隣り合うコーナ円線を連結する側部円線は、いずれの場合においても、前記コーナ円線の領域内の凸状輪郭に一体化する凹状の断面輪郭を形成し、これにより前記クローバ葉形に近似することを特徴とする、項目２に記載の継手。
（項目４）
凹状側部円線のそれぞれが、全体的な継手の輪郭が連続的な外周線を形成するように、前記２つの隣り合うコーナ円線に接することを特徴とする、項目３に記載の継手。
（項目５）
前記断面輪郭が少なくとも以下の条件を満たし、
（１）０．６＜ｋＢ＜０．９の場合に、Ｂ＝ｋＢ×Ａ
式中、値Ａは、その中心を前記断面形状の中心に有し、且つ全コーナ円上に半径方向外側の接点を有する外接円の直径であり、値Ｂは、２つの対向する凹状側部円線間の距離である
ことを特徴とする、項目２〜４のいずれかの項目に記載の継手。
（項目６）
前記断面輪郭が更なる条件
（２）０．６＜ｋＲｅ＜０．９且つＲｅ＝各コーナ円線の同じ半径である場合に、Ｒｅ＝ｋＲｅ×Ａ
及び
（３）０．８＜ｋＲｉ＜１．５且つＲｉ＝各側部円線の同じ半径である場合に、Ｒｉ＝ｋＲｉ×Ａ
を満たすことを特徴とする、項目５に記載の継手。
（項目７）
内部トーションロッド又は内部ツールシャフトを含むハンドピースシャフトを連結することができるユニバーサルハンドピースを好ましくは備える外科用トルク伝達器具であって、
前記ハンドピースシャフトは、軸方向に相互嵌合可能な雄継手部品及び雌継手部品からなるプラグ型継手を介して前記ハンドピース内のトルク伝達トレーン又は駆動部に連結することができ、
前記２つの継手部品は、項目１〜６のいずれかの項目に記載の断面形状を有することを特徴とする外科用トルク伝達器具。
【手続補正６】
【補正対象書類名】図面
【補正対象項目名】図１４
【補正方法】変更
【補正の内容】
【図１４】
2015527151.tif 000001